(57)【要約】【課題】小型化、薄型化する場合であっても、レンズおよび撮像素子を搭載したレンズ駆動装置を揺動させるための十分な駆動力を得ることが可能な撮影用光学装置を提供すること。【解決手段】撮影用光学装置は、レンズと撮像素子とレンズを駆動するレンズ駆動機構とを搭載したレンズ駆動装置と、レンズ駆動装置の傾きを検出するセンサと、センサでの検出結果に基づいてレンズ駆動装置を揺動させて手振れを補正する手振れ補正機構とを備えている。手振れ補正機構は、レンズ駆動装置を揺動させる揺動駆動機構６を備え、揺動駆動機構６は、駆動用磁石２１と駆動用コイル２３とを備えている。駆動用磁石２１の、駆動用コイル２３との対向面には、２極の磁極が形成されている。【選択図】図３
2010096804.tif 000002
【特許請求の範囲】
【請求項１】
レンズと撮像素子と前記レンズを駆動するレンズ駆動機構とを搭載したレンズ駆動装置と、前記レンズ駆動装置の傾きを検出するセンサと、前記センサでの検出結果に基づいて前記レンズ駆動装置を揺動させて手振れを補正する手振れ補正機構とを備え、
前記手振れ補正機構は、前記レンズ駆動装置を揺動させる揺動駆動機構を備え、
前記揺動駆動機構は、互いに対向配置される駆動用コイルと駆動用磁石とを備え、
前記駆動用磁石の、前記駆動用コイルとの対向面には、２極以上の磁極が形成されていることを特徴とする撮影用光学装置。
【請求項２】
前記駆動用磁石の前記駆動用コイルとの対向面には、２極の磁極が形成されていることを特徴とする請求項１記載の撮影用光学装置。
【請求項３】
略多角筒状に形成されるとともに、前記駆動用磁石を保持する磁石保持部材を備え、
前記駆動用磁石の前記駆動用コイルとの対向面には、前記磁石保持部材の軸方向で重なるように２極の磁極が形成され、
前記駆動用磁石は、前記磁石保持部材の周方向で隣り合う前記駆動用磁石の磁極が異なるように、前記磁石保持部材の側面のそれぞれに固定されていることを特徴とする請求項２記載の撮影用光学装置。
【請求項４】
前記磁石保持部材の、前記周方向で隣り合う少なくとも２枚の側面が前記周方向で繋がっていることを特徴とする請求項３記載の撮影用光学装置。
【請求項５】
前記磁石保持部材の全ての側面が前記周方向で繋がっていることを特徴とする請求項４記載の撮影用光学装置。
【発明の詳細な説明】
【技術分野】
【０００１】
本発明は、レンズおよび撮像素子を搭載したレンズ駆動装置を揺動させて手振れを補正する手振れ補正機能を有する撮影用光学装置に関する。
【背景技術】
【０００２】
近年、携帯電話等の携帯機器には、撮影用光学装置が搭載されている。携帯機器の場合、撮影時に手振れが発生しやすい。そこで、撮影時の手振れを補正することが可能な光学装置が提案されている（たとえば、特許文献１参照）。
【０００３】
この特許文献１に記載の光学装置は、レンズや撮像素子を搭載した可動部と、光学装置の基台に固定されるとともに可動部の底面に当接するピボット軸と、基台に固定されるとともに可動部を揺動可能に支持する板バネと、可動部を揺動させるための揺動機構とを備えている。この光学装置では、揺動機構の駆動力で、可動部がピボット軸を支点に揺動して、手振れが補正されている。なお、この光学装置では、揺動機構は、駆動用コイルと駆動用磁石とによって構成されている。
【０００４】
【特許文献１】特開２００７−３１００８４号公報
【発明の開示】
【発明が解決しようとする課題】
【０００５】
近年、携帯電話等の携帯機器の市場では、携帯機器の小型化、薄型化の要求が一段と高まっており、その結果、携帯機器に搭載される撮影用光学装置の小型化、薄型化の要求も一段と高まっている。しかしながら、撮影用光学装置が小型化、薄型化すると、レンズや撮像素子を搭載した可動部を揺動させるための駆動用コイルや駆動用磁石の配置スペースが制約されるため、可動部を揺動させるための十分な駆動力を得ることが困難になる。
【０００６】
そこで、本発明の課題は、小型化、薄型化する場合であっても、レンズおよび撮像素子を搭載したレンズ駆動装置を揺動させるための十分な駆動力を得ることが可能な撮影用光学装置を提供することにある。
【課題を解決するための手段】
【０００７】
上記の課題を解決するため、本発明の撮影用光学装置は、レンズと撮像素子とレンズを駆動するレンズ駆動機構とを搭載したレンズ駆動装置と、レンズ駆動装置の傾きを検出するセンサと、センサでの検出結果に基づいてレンズ駆動装置を揺動させて手振れを補正する手振れ補正機構とを備え、手振れ補正機構は、レンズ駆動装置を揺動させる揺動駆動機構を備え、揺動駆動機構は、互いに対向配置される駆動用コイルと駆動用磁石とを備え、駆動用磁石の、駆動用コイルとの対向面には、２極以上の磁極が形成されていることを特徴とする。
【０００８】
本発明の撮影用光学装置では、駆動用磁石の、駆動用コイルとの対向面に、２極以上の磁極が形成されている。そのため、駆動用磁石の、駆動用コイルとの対向面に１極の磁極が形成されている場合と比較して、巻回されて形成される駆動用コイルを有効に利用することが可能になる。すなわち、駆動力を発生させる駆動用コイルの有効部分を増やすことが可能になる。したがって、本発明では、揺動駆動機構の駆動力を向上させることが可能になり、撮影用光学装置が小型化、薄型化する場合であっても、レンズ駆動装置を揺動させるための十分な駆動力を得ることが可能になる。
【０００９】
本発明において、駆動用磁石の駆動用コイルとの対向面には、２極の磁極が形成されていることが好ましい。このように構成すると、１個の駆動用磁石に対して１個の駆動用コイルを対向させることで、駆動用コイルを有効に利用しつつ、揺動駆動機構の駆動力を向上させることができる。したがって、撮影用光学装置の構成を簡素化することが可能になる。
【００１０】
本発明において、撮影用光学装置は、略多角筒状に形成されるとともに駆動用磁石を保持する磁石保持部材を備え、駆動用磁石の駆動用コイルとの対向面には、磁石保持部材の軸方向で重なるように２極の磁極が形成され、駆動用磁石は、磁石保持部材の周方向で隣り合う駆動用磁石の磁極が異なるように、磁石保持部材の側面のそれぞれに固定されていることが好ましい。このように構成すると、周方向で隣り合う駆動用磁石間に磁路が形成されやすくなる。したがって、揺動駆動機構の駆動力を効果的に向上させることが可能になる。
【００１１】
本発明において、磁石保持部材の、周方向で隣り合う少なくとも２枚の側面が周方向で繋がっていることが好ましい。この場合には、磁石保持部材の全ての側面が周方向で繋がっていることが好ましい。このように構成すると、周方向で隣り合う駆動用磁石間に磁路が形成されやすくなる。したがって、揺動駆動機構の駆動力を効果的に向上させることが可能になる。
【発明の効果】
【００１２】
以上のように、本発明の撮影用光学装置では、小型化、薄型化する場合であっても、レンズおよび撮像素子を搭載したレンズ駆動装置を揺動させるための十分な駆動力を得ることが可能になる。
【発明を実施するための最良の形態】
【００１３】
以下、本発明の実施の形態を図面に基づいて説明する。
【００１４】
（撮影用光学装置の構成）
図１は、本発明の実施の形態にかかる撮影用光学装置１の斜視図である。図２は、図１のＥ−Ｅ断面の断面図である。図３は、図１のＦ−Ｆ断面の構成要素の一部を示す斜視図である。なお、以下の説明では、図１に示すように、互いに直交する３方向のそれぞれをＸ方向、Ｙ方向およびＺ方向とする。また、図１のＸ１方向側を「右」側、Ｘ２方向側を「左」側、Ｙ１方向側を「前」側、Ｙ２方向側を「後（後ろ）」側、Ｚ１方向側を「上」側、Ｚ２方向側を「下」側とする。本形態では、Ｚ方向は、揺動していないときの撮影用光学装置１の光軸方向である。
【００１５】
本形態の撮影用光学装置１は、携帯電話等の携帯機器に搭載される小型かつ薄型のカメラであり、全体として略直方体状に形成されている。この撮影用光学装置１は、図１、図２に示すように、図示を省略するレンズおよび撮像素子を搭載したレンズ駆動装置２と、レンズ駆動装置２の傾きを検出するセンサ４と、レンズ駆動装置２を支持する支持体５と、レンズ駆動装置２を揺動させる揺動駆動機構６とを備えている。
【００１６】
レンズ駆動装置２には、上述のように、レンズおよび撮像素子が搭載されている。具体的には、レンズ駆動装置２の上端側にレンズが搭載され、レンズ駆動装置２の下端に撮像素子が搭載されている。また、レンズ駆動装置２には、レンズを光軸方向に駆動するためのレンズ駆動機構が搭載されている。このレンズ駆動機構は、たとえば、駆動用のコイルと駆動用の磁石とによって構成されている。
【００１７】
レンズ駆動装置２は、全体として略直方体状に形成されている。このレンズ駆動装置２の前後および左右の側面は、下端が開口する底付きの略四角筒状に形成されたカバー部材９に覆われている。カバー部材９は、磁性材料で形成されている。上端側に配置されるカバー部材９の底部には、円形の貫通孔９ａが形成されている。また、カバー部材９の下端には、前後方向の外側および左右方向の外側に向かって広がる鍔部９ｂが形成されている。
【００１８】
また、カバー部材９の後側面と右側面とは、図３に示すように、カバー部材９の周方向で繋がっている。具体的には、カバー部材９の後側面と右側面とは、上下方向の全域において周方向で繋がっている。同様に、カバー部材９の後側面と左側面とは、上下方向の全域において周方向で繋がり、カバー部材９の前側面と右側面とは、上下方向の全域において周方向で繋がり、カバー部材９の前側面と左側面とは、上下方向の全域において周方向で繋がっている。
【００１９】
すなわち、本形態では、カバー部材９の、周方向で隣り合う側面は、互いに上下方向の全域において周方向で繋がっている。また、カバー部材９の全側面が周方向で繋がっている。すなわち、本形態のカバー部材９は、全側面が上下方向の全域において周方向で繋がった略四角筒状に形成されている。なお、本形態では、図３に示すように、カバー部材９の、周方向で隣り合う側面の接続部分には、曲面部（Ｒ部）が形成されているが、側面の端部同士がそのまま直交するように接続されても良い。
【００２０】
センサ４は、ジャイロセンサ（角速度センサ）であり、レンズ駆動装置２の下側に配置されている。このセンサ４には、フレキシブルプリント基板（ＦＰＣ）１０が接続されている。このＦＰＣ１０は、レンズ駆動装置２に搭載されている撮像素子にも接続されている。ＦＰＣ１０は、撮影用光学装置１の下端側で引き回されて、撮影用光学装置１の左側面から引き出されている。
【００２１】
また、センサ４は、上端が開口する底付きで扁平な略四角筒状に形成されたセンサカバー部材１１の内部に配置されている。下端側に配置されるセンサカバー部材１１の底部の中心には、後述の支点突起１５ｂが当接する当接面１１ａが平面状に形成されている。また、センサカバー部材１１の上端には、カバー部材９の鍔部９ｂに下側から当接する鍔部１１ｂが前後方向の外側および左右方向の外側に向かって広がるように形成されている。本形態では、鍔部９ｂと鍔部１１ｂとが互いに固定されている。すなわち、センサカバー部材１１は、カバー部材９の下端に固定されている。
【００２２】
本形態では、レンズ駆動装置２とセンサ４とカバー部材９とセンサカバー部材１１とが、支持体５に揺動可能に支持されている。すなわち、レンズ駆動装置２、センサ４、カバー部材９およびセンサカバー部材１１によって、支持体５に対して揺動可能な可動モジュール１２が構成されている。
【００２３】
支持体５は、撮影用光学装置１の下面を構成するベース体１５と、撮影用光学装置１の前後および左右の外周面を構成するケース体１６とを備えている。ケース体１６には、可動モジュール１２を揺動可能に支持する板バネ１７が固定されている。また、ケース体１６には、可動モジュール１２の揺動範囲を規制するためのストッパ部材１８が固定されている。
【００２４】
ベース体１５は、略矩形状に形成されている。このベース体１５の略中心には、上側に向かって突出する突出部１５ａが形成されている。また、突出部１５ａの上面には、可動モジュール１２の揺動の支点となる支点突起１５ｂが形成されている。すなわち、本形態では、可動モジュール１２の下側に可動モジュール１２の揺動の支点が配置されている。この支点突起１５ｂは、たとえば、半球面状に形成されており、センサカバー部材１１の当接面１１ａに当接している。
【００２５】
ケース体１６は、上端および下端が開口する略四角筒状に形成されている。このケース体１６の下端側には、ベース体１５が固定されている。ケース体１６の前後の側面および左右の側面の略中心には、揺動駆動機構６を構成する後述の駆動用コイル２３の引出線を配置するための開口部１６ａがそれぞれの側面を貫通するように形成されている。この開口部１６ａは、略矩形状に形成されている。本形態のケース体１６は、非磁性材料で形成されている。また、ケース体１６は、金属材料で形成されている。なお、ケース体１６の側面には、開口部１６ａが形成されなくても良い。
【００２６】
板バネ１７は、全体として略矩形状に形成されている。板バネ１７の４隅はケース体１６に固定され、板バネ１７の中心部には可動モジュール１２（具体的にはセンサカバー部材１１）が固定されており、板バネ１７は、ケース体１６に固定される固定部と、可動モジュール１２を保持する保持部と、固定部と保持部とを繋ぐバネ部とを備えている。
【００２７】
なお、板バネ１７は、センサカバー部材１１の当接面１１ａとベース体１５の支点突起１５ｂとを確実に当接させるための与圧が発生するように（すなわち、可動モジュール１２を下方向へ付勢する付勢力が発生するように）、撓んだ状態でケース体１６に固定されている。また、本形態の板バネ１７は、具体的には、ストッパ部材１８を介してケース体１６に固定されている。すなわち、ケース体１６の内周面に固定されたストッパ部材１８に板バネ１７の４隅が固定されている。
【００２８】
ストッパ部材１８は、ケース体１６の内周面に固定されている。具体的には、カバー部材９の鍔部９ｂの上面に当接可能な位置およびセンサカバー部材１１の鍔部１１ｂの下面に当接可能な位置のそれぞれで、２個のストッパ部材１８がケース体１６の内周面に固定されており、ストッパ部材１８と鍔部９ｂ、１１ｂとによって、可動モジュール１２の揺動範囲が規制されている。
【００２９】
揺動駆動機構６は、駆動用磁石２１と、駆動用磁石２１に対向配置される駆動用コイル２３とを備えている。本形態の揺動駆動機構６は、４個の駆動用磁石２１と４個の駆動用コイル２３とを備えている。
【００３０】
駆動用磁石２１は、略矩形の板状に形成されている。また、駆動用磁石２１は、第１磁石片２１ａと第２磁石片２１ｂとの２個の磁石片によって構成されている。具体的には、第１磁石片２１ａの下面と第２磁石片２１ｂの上面とが当接した状態で、第１磁石片２１ａと第２磁石片２１ｂとが接着固定されて駆動用磁石２１が形成されている。第１磁石片２１ａと第２磁石片２１ｂとは、幅が同じになるように形成されている。なお、第１磁石片２１ａの厚さと第２磁石片２１ｂの厚さとは、後述のように、異なっている。
【００３１】
駆動用磁石２１は、カバー部材９の前後の側面および左右の側面のそれぞれに１個ずつ固定されている。すなわち、駆動用磁石２１は、カバー部材９の前後の側面および左右の側面の外側に固定されている。上述のように、カバー部材９は、磁性材料で形成されており、カバー部材９は、駆動用磁石２１のバックヨークの機能を果たしている。本形態のカバー部材９は、駆動用磁石２１を保持する磁石保持部材である。
【００３２】
本形態では、カバー部材９の左右の側面に固定される駆動用磁石２１は、駆動用磁石２１の右面に形成される磁極と左面に形成される磁極とが異なるように着磁されている。また、カバー部材９の左右の側面に固定される駆動用磁石２１は、左右方向における第１磁石片２１ａの外側面に形成される磁極と第２磁石片２１ｂの外側面に形成される磁極とが異なるように（すなわち、左右方向における第１磁石片２１ａの内側面に形成される磁極と第２磁石片２１ｂの内側面に形成される磁極とが異なるように）着磁されている。
【００３３】
同様に、カバー部材９の前後の側面に固定される駆動用磁石２１は、駆動用磁石２１の前面に形成される磁極と後面に形成される磁極とが異なるように着磁されている。また、カバー部材９の前後の側面に固定される駆動用磁石２１は、前後方向における第１磁石片２１ａの外側面に形成される磁極と第２磁石片２１ｂの外側面に形成される磁極とが異なるように着磁されている。
【００３４】
すなわち、駆動用磁石２１の両面のそれぞれには、上下方向（すなわち、カバー部材９の軸方向）で重なるように２極の磁極が形成されている。また、本形態では、カバー部材９の周方向で隣り合う駆動用磁石２１の磁極が異なるように、駆動用磁石２１は、カバー部材９の側面のそれぞれに固定されている。すなわち、カバー部材９の周方向で隣り合う第１磁石片２１ａの磁極が異なるとともに、周方向で隣り合う第２磁石片２１ｂの磁極が異なるように、駆動用磁石２１は、カバー部材９の側面のそれぞれに固定されている。
【００３５】
具体的には、本形態では、図３に示すように、カバー部材９の右側面に固定される駆動用磁石２１の第１磁石片２１ａの右側面（駆動用コイル２３との対向面）はＳ極、左側面はＮ極に着磁され、この駆動用磁石２１の第２磁石片２１ｂの右側面（駆動用コイル２３との対向面）はＮ極、左側面はＳ極に着磁されている。同様に、図示は省略するが、カバー部材９の右側面と対向するカバー部材９の左側面に固定される駆動用磁石２１の第１磁石片２１ａの左側面（駆動用コイル２３との対向面）はＳ極、右側面はＮ極に着磁され、この駆動用磁石２１の第２磁石片２１ｂの左側面（駆動用コイル２３との対向面）はＮ極、右側面はＳ極に着磁されている。
【００３６】
また、本形態では、図３に示すように、カバー部材９の後側面に固定される駆動用磁石２１の第１磁石片２１ａの後側面（駆動用コイル２３との対向面）はＮ極、前側面はＳ極に着磁され、この駆動用磁石２１の第２磁石片２１ｂの後側面（駆動用コイル２３との対向面）はＳ極、前側面はＮ極に着磁されている。同様に、図示は省略するが、カバー部材９の後側面と対向するカバー部材９の前側面に固定される駆動用磁石２１の第１磁石片２１ａの前側面（駆動用コイル２３との対向面）はＮ極、後側面はＳ極に着磁され、この駆動用磁石２１の第２磁石片２１ｂの前側面（駆動用コイル２３との対向面）はＳ極、後側面はＮ極に着磁されている。
【００３７】
また、カバー部材９の左右の側面に固定される駆動用磁石２１の外側面は、下方向に向かうにしたがって左右方向の外側へ緩やかに広がるように傾斜しており、この駆動用磁石２１は、前後方向から見たときの形状が略台形状になるように形成されている。同様に、カバー部材９の前後の側面に固定される駆動用磁石２１の外側面は、下方向に向かうにしたがって前後方向の外側へ緩やかに広がるように傾斜しており、この駆動用磁石２１は、左右方向から見たときの形状が略台形状になるように形成されている。
【００３８】
駆動用コイル２３は、導線の周りを被覆する絶縁被膜と、絶縁被膜の周りをさらに被覆する融着被膜とを備える融着線が空芯状に巻回された（すなわち、ボビン等の巻芯を備えていない）空芯コイルである。この駆動用コイル２３は、融着線が略長方形状に巻回されて形成されている。また、駆動用コイル２３は、絶縁性のフィルムを介してケース体１６の前後の側面および左右の側面のそれぞれに１個ずつ固定されている。すなわち、駆動用コイル２３は、ケース体１６の前後の側面および左右の側面の内側に絶縁性のフィルムを介して固定されている。本形態では、略長方形状に巻回された駆動用コイル２３を構成する２個の長辺部と２個の短辺部のうちの短辺部の長手方向と上下方向とが一致するように、駆動用コイル２３がケース体１６に固定されている。
【００３９】
図２に示すように、駆動用磁石２１と駆動用コイル２３とは所定の隙間をあけた状態で対向配置されている。具体的には、支点突起１５ｂを支点として可動モジュール１２が揺動しても、駆動用磁石２１と駆動用コイル２３とが接触しないように、駆動用磁石２１と駆動用コイル２３とが所定の隙間をあけた状態で対向配置されている。
【００４０】
上述のように、カバー部材９の左右の側面に固定される駆動用磁石２１の外側面は、下方向に向かうにしたがって左右方向の外側へ緩やかに広がるように傾斜し、カバー部材９の前後の側面に固定される駆動用磁石２１の外側面は、下方向に向かうにしたがって前後方向の外側へ緩やかに広がるように傾斜している。そのため、駆動用磁石２１と駆動用コイル２３との隙間は、下方向に向かうにしたがって狭くなっている。
【００４１】
また、本形態では、図２に示すように、上下方向における駆動用コイル２３の中心位置が第１磁石片２１ａと第２磁石片２１ｂとの当接面よりも上側に配置されるように、駆動用磁石２１と駆動用コイル２３とが対向配置されている。
【００４２】
以上のように構成された撮影用光学装置１では、センサ４で手振れが検出されると、センサ４での検出結果に基づいて、駆動用コイル２３に電流が供給され、可動モジュール１２が支点突起１５ａを中心に揺動して、手振れが補正される。なお、本形態では、揺動駆動機構６、板バネ１７、当接面１１ａおよび支点突起１５ｂによって、センサ４での検出結果に基づいてレンズ駆動装置２を揺動させて手振れを補正する手振れ補正機構が構成されている。
【００４３】
（本形態の主な効果）
以上説明したように、本形態では、駆動用コイル２３と対向する駆動用磁石２１の側面に、Ｎ極とＳ極との２極の磁極が形成されている。そのため、駆動用コイル２３と対向する駆動用磁石２１の側面にＮ極あるいはＳ極のいずれか１極の磁極が形成されている場合と比較して、駆動用コイル２３を有効に利用することができる。すなわち、略長方形状に巻回される駆動用コイル２３の上下端を構成する２本の長辺部分を利用して揺動駆動機構６の駆動力を発生させることができる。したがって、本形態では、揺動駆動機構６の駆動力を向上させることができ、撮影用光学装置１が小型化、薄型化する場合であっても、レンズ駆動装置２を揺動させるための十分な駆動力を得ることが可能になる。
【００４４】
また、本形態では、駆動用コイル２３と対向する駆動用磁石２１の側面に、２極の磁極が形成されているため、１個の駆動用磁石２１に対して１個の駆動用コイル２３を対向させることで、駆動用コイル２３を有効に利用しつつ、揺動駆動機構６の駆動力を向上させることができる。したがって、撮影用光学装置１の構成を簡素化することができる。
【００４５】
本形態では、カバー部材９の周方向で隣り合う駆動用磁石２１の磁極が異なるように、駆動用磁石２１は、カバー部材９の側面に固定されている。そのため、図３の矢印Ａ１で示すように、周方向で隣り合う駆動用磁石２１間に磁路が形成されやすくなる。すなわち、図４に示すように、カバー部材９９の周方向で隣り合う駆動用磁石２１の磁極が同じになるように、駆動用磁石２１がカバー部材９９の側面に固定されていると、矢印Ａ１０で示すように、一方の駆動用磁石２１から発生する磁力線と、他方の駆動用磁石２１から発生する磁力線とがぶつかりあって、周方向で隣り合う駆動用磁石２１間に磁路が形成されにくくなるが、本形態では、図３に示すように、周方向で隣り合う駆動用磁石２１間に磁路が形成されやすくなる。したがって、揺動駆動機構６の駆動力を効果的に向上させることが可能になる。
【００４６】
本形態では、カバー部材９の、周方向で隣り合う側面は、互いに上下方向の全域において周方向で繋がっている。そのため、図３の矢印Ａ２で示すように、周方向で隣り合う駆動用磁石２１間に磁路が形成されやすくなる。すなわち、図４に示すように、カバー部材９９の、周方向で隣り合う側面の間にスリット１００が形成されていると、周方向で隣り合う駆動用磁石２１間に磁路が形成されにくくなるが、本形態では、図３に示すように、周方向で隣り合う駆動用磁石２１間に磁路が形成されやすくなる。したがって、揺動駆動機構６の駆動力を効果的に向上させることが可能になる。
【００４７】
なお、本願発明者の検討によると、駆動用コイル２３と対向する駆動用磁石２１の側面に１極の磁極が形成されている場合と比較して、駆動用コイル２３と対向する駆動用磁石２１の側面に、２極の磁極が形成されていると、揺動駆動機構６の駆動力を１４４％向上させることができる。
【００４８】
また、本願発明者の検討によると、カバー部材９の周方向で隣り合う駆動用磁石２１の磁極が同じになるように、駆動用磁石２１がカバー部材９の側面に固定されている場合と比較して、カバー部材９の周方向で隣り合う駆動用磁石２１の磁極が異なるように、駆動用磁石２１がカバー部材９の側面に固定されていると、揺動駆動機構６の駆動力を７％向上させることができる。
【００４９】
さらに、本願発明者の検討によると、カバー部材９９の、周方向で隣り合う側面の間にスリット１００が形成されている場合と比較して、カバー部材９の、周方向で隣り合う側面が互いに上下方向の全域において周方向で繋がっていると、揺動駆動機構６の駆動力を３％向上させることができる。
【００５０】
（他の実施の形態）
上述した形態は、本発明の好適な形態の一例ではあるが、これに限定されるものではなく本発明の要旨を変更しない範囲において種々変形実施が可能である。
【００５１】
上述した形態では、駆動用磁石２１は、第１磁石片２１ａと第２磁石片２１ｂとの２個の磁石片によって構成されている。この他にもたとえば、駆動用磁石２１は、１個の磁石片によって構成されても良い。この場合には、駆動用磁石２１の両面のそれぞれにおいて、上下方向で重なる２極の磁極が形成されるように、１個の磁石片が着磁される。
【００５２】
上述した形態では、駆動用磁石２１の両面のそれぞれに、上下方向で重なるように２極の磁極が形成されている。この他にもたとえば、駆動用磁石２１の両面のそれぞれに、３極以上の磁極が形成されても良い。
【００５３】
上述した形態では、駆動用磁石２１がカバー部材９に取り付けられ、駆動用コイル２３がケース体１６に取り付けられている。この他にもたとえば、駆動用磁石２１がヨークを介してケース体１６に取り付けられ、駆動用コイル２３がカバー部材９に取り付けられても良い。なお、ケース体１６が磁性材料で形成されているのではあれば、駆動磁石２１はケース体１６に直接、取り付けられても良い。
【００５４】
上述した形態では、カバー部材９の、周方向で隣り合う側面は、互いに上下方向の全域において周方向で繋がっている。この他にもたとえば、カバー部材９の、周方向で隣り合う側面が、互いに上下方向の一部において周方向で繋がっていても良い。また、上述した形態では、カバー部材９の全側面が周方向で繋がっているが、任意に選択される２枚または３枚の側面のみが周方向で繋がっていても良い。
【００５５】
なお、上述した形態では、カバー部材９の周方向で隣り合う駆動用磁石２１の磁極が異なるように、駆動用磁石２１は、カバー部材９の側面に固定されているが、カバー部材９の周方向で隣り合う駆動用磁石２１の磁極が同じになるように、駆動用磁石２１がカバー部材９の側面に固定されても良い。また、上述した形態では、カバー部材９は、略四角筒状に形成されているが、カバー部材９は、四角筒以外の多角筒状に形成されても良い。また、カバー部材９は、円筒状に形成されても良い。
【図面の簡単な説明】
【００５６】
【図１】本発明の実施の形態にかかる撮影用光学装置の斜視図である。
【図２】図１のＥ−Ｅ断面の断面図である。
【図３】図１のＦ−Ｆ断面の構成要素の一部を示す斜視図である。
【図４】図１に示す撮影用光学装置の効果を説明するための図である。
【符号の説明】
【００５７】
１  撮影用光学装置
２  レンズ駆動装置
４  センサ
６  揺動駆動機構
９  カバー部材（磁石保持部材）
２１  駆動用磁石
２３  駆動用コイル
【図１】
2010096804.tif 000003
【図２】
2010096804.tif 000004
【図３】
2010096804.tif 000005
【図４】
2010096804.tif 000006